【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
潤滑粘度の油と、過塩基化金属含有清浄剤と、式（Ｉ）：
ＮＲ１Ｒ２−（（ＣＨＲ３）ｘＮＲ４）ｎ−（ＣＨＲ５）２−ＣＯＹ
（Ｉ）
（式中、
Ｒ１およびＲ２は、独立して、−（ＣＨＲ６）２−ＣＯＹ’、Ｈ、およびＣ１〜Ｃ３アルキルから選択され、Ｒ１およびＲ２の少なくとも１つは、−（ＣＨＲ６）２−ＣＯＹ’であり；あるいはＮＲ１Ｒ２は、窒素ならびに酸素および窒素から選択される追加のヘテロ原子を含有する、任意に置換された複素環式構造であり、
ＹおよびＹ’は、独立して、−ＯＲ７、−ＮＨＲ７、および−Ｎ（Ｒ７）２から選択され、
各Ｒ７は、独立して、Ｃ６〜Ｃ１２アルキルおよびＣ６〜Ｃ１２アルケニルから選択され、
Ｒ３、Ｒ５、およびＲ６は、独立して、ＨおよびＣ１〜Ｃ４アルキルから選択され、
Ｒ４は、Ｈ、Ｃ１〜Ｃ４アルキル、および（ＣＨＲ３）ｘＮＨ２から選択され、
ｘは２から４であり；そして
ＮＲ１Ｒ２が複素環式構造の場合にｎが少なくとも０であることを除いて、ｎは少なくとも１である。）
のアミノカルボキシレート化合物と
を含む、潤滑組成物。
【請求項２】
ｘが２である、請求項１に記載の潤滑組成物。
【請求項３】
Ｒ３がＨである、請求項２に記載の潤滑組成物。
【請求項４】
ｎが少なくとも４である、請求項２から３のいずれか一項に記載の潤滑組成物。
【請求項５】
ｎが最大７、または最大６、または最大５、または最大４である、請求項１から４のいずれか一項に記載の潤滑組成物。
【請求項６】
Ｒ３、Ｒ４、Ｒ５、およびＲ６の少なくとも１つがＨである、請求項１から５のいずれか一項に記載の潤滑組成物。
【請求項７】
Ｒ３、Ｒ４、Ｒ５、およびＲ６が全てＨである、請求項１から６のいずれか一項に記載の潤滑組成物。
【請求項８】
ＹおよびＹ’の少なくとも１つが−ＯＲ７である、請求項１から７のいずれか一項に記載の潤滑組成物。
【請求項９】
各Ｒ７が、Ｃ６〜Ｃ８アルキルおよびＣ６〜Ｃ８アルケニルから選択される、請求項８に記載の潤滑組成物。
【請求項１０】
前記化合物が、構造（ＩＩ）：
【化３０】
2018521167.tif 000001
による構造を有する、請求項１から９のいずれか一項に記載の潤滑組成物。
【請求項１１】
ｎが、少なくとも３または最大６であり、Ｒ７が、Ｃ６〜Ｃ８のアルキルおよびアルケニル基から選択される、請求項１０に記載の潤滑組成物。
【請求項１２】
前記化合物が、
【化２２】
2018521167.tif 000002
（式中、各Ｒ７は、Ｃ１０〜Ｃ１２アルキルである。）
【化２３】
2018521167.tif 000003
（式中、各Ｒ７は、Ｃ１０〜Ｃ１２アルキルである。）
およびこれらの混合物
のいずれか１つによる構造を有する、請求項１０または１１に記載の潤滑組成物。
【請求項１３】
ＮＲ１Ｒ２が
【化３１】
2018521167.tif 000004
から選択される複素環式構造であり、式中、
Ｘは、Ｈおよび−（ＣＨ２）ｐ−Ｗから選択され、
Ｗは、ＣＯＯＲ８と、ＮＨＲ８と、末端ＸがＨまたはＣ１〜Ｃ４アルキルであること以外はＮＲ１Ｒ２に関して記載された複素環式構造とから選択され、
Ｒ８は、Ｈと、Ｃ６〜Ｃ３０アルキルと、Ｃ６〜Ｃ３０アルケニルと、−（ＣＨ２）ｐ−Ｗ’（式中、Ｗ’は、末端ＸがＨまたはＣ１〜Ｃ４アルキルであること以外はＷに関するものと同様である。）とから選択され、
各ｐは２から４である、
請求項１から７のいずれか一項に記載の潤滑組成物。
【請求項１４】
前記化合物が、構造（ＩＩＩ）
【化３２】
2018521167.tif 000005
による構造を有する、請求項１３に記載の潤滑組成物。
【請求項１５】
前記化合物が、
【化３３】
2018521167.tif 000006
およびこれらの混合物
のいずれか１つによる構造を有する、請求項１に記載の潤滑組成物。
【請求項１６】
前記化合物が、最大７００または最大６５０の重量平均分子量を有する、請求項１から１５のいずれか一項に記載の潤滑組成物。
【請求項１７】
前記化合物が、少なくとも２７５または少なくとも３００の重量平均分子量を有する、請求項１６に記載の潤滑組成物。
【請求項１８】
前記アミノ−カルボキシレート化合物が、少なくとも２００ｍｇ  ＫＯＨ／ｇ、または少なくとも２５０ｍｇ  ＫＯＨ／ｇ、または少なくとも３００ｍｇ  ＫＯＨ／ｇ、または少なくとも３５０ｍｇ  ＫＯＨ／ｇ、または少なくとも４００ｍｇ  ＫＯＨ／ｇ、または最大６００ｍｇ  ＫＯＨ／ｇ、または最大５００ｍｇ  ＫＯＨ／ｇの、ＡＳＴＭ  Ｄ２８９６−１１により測定された全塩基価（ＴＢＮ）を有する、請求項１から１７のいずれか一項に記載の潤滑組成物。
【請求項１９】
前記アミノ−カルボキシレート化合物が、少なくとも１８０ｍｇ  ＫＯＨ／ｇ、または少なくとも２００ｍｇ  ＫＯＨ／ｇ、または少なくとも２４０ｍｇ  ＫＯＨ／ｇ、または最大４００ｍｇ  ＫＯＨ／ｇの、ＡＳＴＭ  Ｄ４７３９−１１により測定された塩基価（ＢＮ）を有する、請求項１から１８のいずれか一項に記載の潤滑組成物。
【請求項２０】
前記アミノ−カルボキシレート化合物が、前記潤滑組成物の、ＡＳＴＭ  Ｄ２８９６−１１により測定された全塩基価を少なくとも２０、または少なくとも３０、または少なくとも４０、または少なくとも５０ｍｇ  ＫＯＨ／ｇ、または最大６０ｍｇ  ＫＯＨ／ｇ、または最大５５ｍｇ  ＫＯＨ／ｇ増加させるのに十分な濃度で存在する、請求項１から１９のいずれか一項に記載の潤滑組成物。
【請求項２１】
エンジン油の、ＡＳＴＭ  Ｄ２８９６−１１により測定された最終的な全塩基価が少なくとも７０である、請求項２０に記載の潤滑組成物。
【請求項２２】
前記アミノ−カルボキシレート化合物が、前記潤滑組成物の少なくとも１ｗｔ．％、または少なくとも５ｗｔ．％、または少なくとも１０ｗｔ．％である、請求項１から２１のいずれか一項に記載の潤滑組成物。
【請求項２３】
前記潤滑粘度の油が、前記潤滑組成物の少なくとも５ｗｔ．％、または少なくとも１０ｗｔ．％、または少なくとも２０ｗｔ．％、または少なくとも３０ｗｔ．％、または少なくとも４０ｗｔ．％、または少なくとも６０ｗｔ．％である、請求項１から２１のいずれか一項に記載の潤滑組成物。
【請求項２４】
前記組成物が、過塩基化清浄剤、粘度調整剤、摩擦調整剤、酸化防止剤、および分散剤の少なくとも１種をさらに含む、請求項１から２３のいずれか一項に記載の潤滑組成物。
【請求項２５】
請求項１から２４のいずれか一項に記載の潤滑組成物を、エンジンに投与することを含む、エンジンを潤滑する方法。
【請求項２６】
前記エンジンが２行程舶用ディーゼルエンジンである、請求項２５に記載の方法。
【請求項２７】
アミノカルボキシレート化合物を潤滑組成物に添加することを含む、潤滑組成物の全塩基価を増加させるためのアミノカルボキシレート化合物の使用であって、前記アミノカルボキシレート化合物が、式（Ｉ）：
ＮＲ１Ｒ２−（（ＣＨＲ３）ｘＮＲ４）ｎ−（ＣＨＲ５）２−ＣＯＹ
（Ｉ）
（式中、
Ｒ１およびＲ２は、独立して、−（ＣＨＲ６）２−ＣＯＹ’、Ｈ、およびＣ１〜Ｃ３アルキルから選択され、Ｒ１およびＲ２の少なくとも１つは、−（ＣＨＲ６）２−ＣＯＹ’であり；あるいはＮＲ１Ｒ２は環状構造であり、
ＹおよびＹ’は、独立して、−ＯＲ７、−ＮＨＲ７、および−Ｎ（Ｒ７）２から選択され、
各Ｒ７は、独立して、Ｃ６〜Ｃ１２アルキルおよびＣ６〜Ｃ１２アルケニルから選択され、
Ｒ３、Ｒ５、およびＲ６は、独立して、ＨおよびＣ１〜Ｃ４アルキルから選択され、
Ｒ４は、Ｈ、Ｃ１〜Ｃ４アルキル、および（ＣＨＲ３）ｘＮＨ２から選択され、
ｘは２から４であり；そして
ＮＲ１Ｒ２が環状構造の場合にｎが少なくとも０であることを除いて、ｎは少なくとも１である。）
を有するものである、使用。
【請求項２８】
前記潤滑組成物中の前記アミノカルボキシレート化合物の濃度が、０．１重量％から１５重量％である、請求項２７に記載の使用。
【請求項２９】
前記アミノカルボキシレート化合物が、前記ＡＳＴＭ  Ｄ２８９６−１１により測定された全塩基価を少なくとも１５ｍｇ  ＫＯＨ／ｇ増加させる、請求項２７または２８に記載の使用。
【請求項３０】
前記ＡＳＴＭ  Ｄ２８９６−１１により測定された全塩基価の前記増加が少なくとも３０ｍｇ  ＫＯＨ／ｇである、請求項２９に記載の使用。
【請求項３１】
潤滑粘度の油と、アシル化剤およびポリアミンのマイケル付加によって形成されたアミノカルボキシレート化合物とを含む、潤滑組成物であって、
前記アシル化剤は、一般式：
【化２７】
2018521167.tif 000007
（式中、Ｒ１３は、水素またはメチルであり、
Ｒ１１およびＲ１２は、それぞれ独立して、水素、１から１２個の炭素原子を有するアルキル基、および式−ＣＯＯＲ１４（式中、Ｒ１４は、水素、または１から１２個もしくは１〜６個の炭素原子を有するアルキル基である。）を有する基からなる群から選択される。）
によって表され、
前記ポリアミンは、一般式：
ＮＨＲ４−（（ＣＨＲ３）ｘＮＲ４）ｎ−Ｒ４
（式中、ｘは、２から４であり、
Ｒ３は、ＨおよびＣ１〜Ｃ４アルキルから選択され、
Ｒ４は、Ｈ、Ｃ１〜Ｃ４アルキル、および（ＣＨＲ３）ｘＮＨ２から選択され、そして
ｎは少なくとも１である。）
によって表される、潤滑組成物。
【請求項３２】
ＮＲ１Ｒ２−が、前記複素環式構造であり、かつ任意に置換された
【化３４】
2018521167.tif 000008
から選択され、
式中、
Ｘは、Ｈおよび−（ＣＨ２）ｐ−Ｗから選択され、
Ｗは、ＣＯＯＲ８と、ＮＨＲ８と、末端ＸがＨまたはＣ１〜Ｃ４アルキルであること以外はＮＲ１Ｒ２に関して記載された環式構造とから選択され、
Ｒ８は、Ｈと、Ｃ６〜Ｃ３０アルキルと、Ｃ６〜Ｃ３０アルケニルと、−（ＣＨ２）ｐ−Ｗ’（式中、Ｗ’は、末端ＸがＨまたはＣ１〜Ｃ４アルキルであること以外はＷに関するものと同様である。）とから選択され、
各ｐは２から４である、
請求項１に記載の潤滑組成物。
【手続補正２】
【補正対象書類名】明細書
【補正対象項目名】０００５
【補正方法】変更
【補正の内容】
【０００５】
この問題に対処する別の方法は、ＴＢＮ上昇添加剤として無灰（即ち、低灰分）化合物を使用することである。下記は、一般に、潤滑剤用の低灰分添加剤に関する：PrestonらのANTHRANILIC  ESTERS  AS  ADDITIVES  IN  LUBRICANTSという名称の、２０１２年２月１６日に公開された米国公開第２０１２００４０８７６号は、エステル添加剤を開示する。Lanconらの、共にCYLINDER  LUBRICANT  FOR  A  TWO-STROKE  MARINE  ENGINEという名称の２０１１年４月２１日に公開された米国公開第２０１１００９２４０３号および２０１４年２月１３日に公開された米国公開第２０１４００４１６１０号は、油溶性脂肪アミンを開示する。BASIC  ASHLESS  ADDITIVESという名称のＷＯ２０１４０７４３３５は、Ｎ−ヒドロカルビル置換γ−アミノエステルおよびアミノチオエステルを開示する。ＷＯ２０１４／１９０００２は、Ｎ−アシル化芳香族アミン化合物を含有する潤滑組成物を記載する。ＷＯ９１／１５５３５は、マイケル付加により調製されたエステル誘導体を記載する。ＵＳ２０１１／０５２６７３は、治療的タンパク質およびアミン含有脂質を含有する治療的組成物に関する。ＵＳ２０１４／１６１８３０は、治療剤の送達において使用するための、マイケル付加により調製されたリピドイドを記載する。
ＭＤＣＬは、シリンダ内を１回だけ通過するので、酸性燃焼生成物を迅速に中和する能力も有するべきである。燃焼生成物の速い中和を可能にしながらＭＤＣＬのＴＢＮを上昇させる低灰分添加剤が、依然として求められている。
【手続補正３】
【補正対象書類名】明細書
【補正対象項目名】０００７
【補正方法】変更
【補正の内容】
【０００７】
簡単な説明
例示的な実施形態の一態様によれば、潤滑組成物は、潤滑粘度の油と、式（Ｉ）：
ＮＲ１Ｒ２−（（ＣＨＲ３）ｘＮＲ４）ｎ−（ＣＨＲ５）２−ＣＯＹ
（Ｉ）
（式中、
Ｒ１およびＲ２は、独立して、−（ＣＨＲ６）２−ＣＯＹ’、Ｈ、およびＣ１〜Ｃ３アルキルから選択され、Ｒ１およびＲ２の少なくとも１つは、−（ＣＨＲ６）２−ＣＯＹ’であり；あるいはＮＲ１Ｒ２は環状構造であり；
ＹおよびＹ’は、独立して、−ＯＲ７、−ＮＨＲ７、および−Ｎ（Ｒ７）２から選択され；
各Ｒ７は、独立して、Ｃ６〜Ｃ１２アルキルおよびＣ６〜Ｃ１２アルケニルから選択され；
Ｒ３、Ｒ５、およびＲ６は、独立して、ＨおよびＣ１〜Ｃ４アルキルから選択され；
Ｒ４は、Ｈ、Ｃ１〜Ｃ４アルキル、および（ＣＨＲ３）ｘＮＨ２から選択され、
ｘは２から４であり；そして
ＮＲ１Ｒ２が環状構造の場合にｎが少なくとも０であることを除いて、ｎは少なくとも１である。）
のアミノカルボキシレート化合物とを含む。
【手続補正４】
【補正対象書類名】明細書
【補正対象項目名】０００８
【補正方法】変更
【補正の内容】
【０００８】
例示的な実施形態の別の態様によれば、有効量のアミノカルボキシレート化合物を潤滑組成物に添加することを含む、潤滑組成物の全塩基価を増加させる方法であって、このアミノカルボキシレート化合物は、式（Ｉ）：
ＮＲ１Ｒ２−（（ＣＨＲ３）ｘＮＲ４）ｎ−（ＣＨＲ５）２−ＣＯＹ
（Ｉ）
（式中、
Ｒ１およびＲ２は、独立して、−（ＣＨＲ６）２−ＣＯＹ’、Ｈ、およびＣ１〜Ｃ３アルキルから選択され、Ｒ１およびＲ２の少なくとも１つは、−（ＣＨＲ６）２−ＣＯＹ’であり；あるいはＮＲ１Ｒ２は環状構造であり；
ＹおよびＹ’は、独立して、−ＯＲ７、−ＮＨＲ７、および−Ｎ（Ｒ７）２から選択され；
各Ｒ７は、独立して、Ｃ６〜Ｃ１２アルキルおよびＣ６〜Ｃ１２アルケニルから選択され；
Ｒ３、Ｒ５、およびＲ６は、独立して、ＨおよびＣ１〜Ｃ４アルキルから選択され；
Ｒ４は、Ｈ、Ｃ１〜Ｃ４アルキル、および（ＣＨＲ３）ｘＮＨ２から選択され、
ｘは２から４であり；そして
ＮＲ１Ｒ２が環状構造の場合にｎが少なくとも０であることを除いて、ｎは少なくとも１である。）
を有する。
【手続補正５】
【補正対象書類名】明細書
【補正対象項目名】００１６
【補正方法】変更
【補正の内容】
【００１６】
本明細書で有用なアミノ−カルボキシレート化合物は、１つまたは複数の末端脂肪族鎖で終結しているアルコキシル化ポリアミンである。潤滑組成物に有用な、例示的なアミノ−カルボキシレート化合物は、一般式（Ｉ）：
ＮＲ１Ｒ２−（（ＣＨＲ３）ｘＮＲ４）ｎ−（ＣＨＲ５）２−ＣＯＹ
（Ｉ）
（式中、
Ｒ１およびＲ２は、独立して、−（ＣＨＲ６）２−ＣＯＹ’、Ｈ、およびＣ１〜Ｃ３アルキルから選択され、Ｒ１およびＲ２の少なくとも１つは、−（ＣＨＲ６）２−ＣＯＹ’であり；あるいはＮＲ１Ｒ２は環状構造であり、
ＹおよびＹ’は、独立して、−ＯＲ７、−ＮＨＲ７、および−Ｎ（Ｒ７）２から選択され；
各Ｒ７は、独立して、Ｃ６〜Ｃ１２アルキルおよびＣ６〜Ｃ１２アルケニルから選択され；
Ｒ３、Ｒ５、およびＲ６は、独立して、ＨおよびＣ１〜Ｃ４アルキルから選択され；
Ｒ４は、Ｈ、Ｃ１〜Ｃ４アルキル、および（ＣＨＲ３）ｘＮＨ２から選択され、
ｘは２から４であり；そして
ＮＲ１Ｒ２が環状構造の場合にｎが少なくとも０であることを除いて、ｎは少なくとも１である。）
を有していてもよい。
【手続補正６】
【補正対象書類名】明細書
【補正対象項目名】００２２
【補正方法】変更
【補正の内容】
【００２２】
アミノ−カルボキシレート化合物の例示的な例には、例えば構造（ＩＩ）によるＲ１およびＲ２の少なくとも１つが−（ＣＨＲ６）２−ＣＯＹ’であるもの、および例えば構造（ＩＩＩ）によるＮＲ１Ｒ２が環状構造であるもの：
【化２８】
2018521167.tif 000009
（式中、Ｒ７、ｎ、およびＸは、上述の通りであってもよい。）
が含まれる。
【手続補正７】
【補正対象書類名】明細書
【補正対象項目名】００３３
【補正方法】変更
【補正の内容】
【００３３】
例示的な実施形態では、アミノ−カルボキシレート化合物は、ポリ（アルキルアミン）などのポリアミンと、エチレン系不飽和エステルまたはカルボン酸アミドなどのアシル化剤との、マイケル付加によって調製される。アクリル酸エステルを使用する反応の例を、以下のスキーム１に示す。
スキーム１
【化２９】
2018521167.tif 000010
【手続補正８】
【補正対象書類名】明細書
【補正対象項目名】０１４８
【補正方法】変更
【補正の内容】
【０１４８】
代表的な脂肪族基は、４から１４個の炭素原子、６から１２個の炭素原子、または８から１０個の炭素原子を含有していてもよい。適切なアルキル基の例には、ブチル、イソブチル、ペンチル、イソペンチル、ネオペンチル、ヘキシル、アミル、ヘプチル、オクチル、イソ−オクチル、２−エチルヘキシル、ノニル、デシル、イソ−デシル、ウンデシル、ドデシル、２−プロピルヘプチル、トリデシル、イソトリデシル、テトラデシル、４−メチル−２−ペンチル、プロピル  ヘプチル、およびこれらの組合せが含まれる。
一実施形態において、例えば、以下の項目が提供される。
（項目１）
潤滑粘度の油と、式（Ｉ）：
ＮＲ１Ｒ２−（（ＣＨＲ３）ｘＮＲ４）ｎ−（ＣＨＲ５）２−ＣＯＹ
（Ｉ）
（式中、
Ｒ１およびＲ２は、独立して、−（ＣＨＲ６）２−ＣＯＹ’、Ｈ、およびＣ１〜Ｃ３アルキルから選択され、Ｒ１およびＲ２の少なくとも１つは、−（ＣＨＲ６）２−ＣＯＹ’であり；あるいはＮＲ１Ｒ２は環状構造であり、
ＹおよびＹ’は、独立して、−ＯＲ７、−ＮＨＲ７、および−Ｎ（Ｒ７）２から選択され、
各Ｒ７は、独立して、Ｃ６〜Ｃ１２アルキルおよびＣ６〜Ｃ１２アルケニルから選択され、
Ｒ３、Ｒ５、およびＲ６は、独立して、ＨおよびＣ１〜Ｃ４アルキルから選択され、
Ｒ４は、Ｈ、Ｃ１〜Ｃ４アルキル、および（ＣＨＲ３）ｘＮＨ２から選択され、
ｘは２から４であり；そして
ＮＲ１Ｒ２が環状構造の場合にｎが少なくとも０であることを除いて、ｎは少なくとも１である。）
のアミノカルボキシレート化合物と
を含む、潤滑組成物。
（項目２）
ｘが２である、項目１に記載の潤滑組成物。
（項目３）
Ｒ３がＨである、項目２に記載の潤滑組成物。
（項目４）
ｎが少なくとも４である、項目２から３のいずれか一項に記載の潤滑組成物。
（項目５）
ｎが最大７、または最大６、または最大５、または最大４である、項目１から４のいずれか一項に記載の潤滑組成物。
（項目６）
Ｒ３、Ｒ４、Ｒ５、およびＲ６の少なくとも１つがＨである、項目１から５のいずれか一項に記載の潤滑組成物。
（項目７）
Ｒ３、Ｒ４、Ｒ５、およびＲ６が全てＨである、項目１から６のいずれか一項に記載の潤滑組成物。
（項目８）
ＹおよびＹ’の少なくとも１つが−ＯＲ７である、項目１から７のいずれか一項に記載の潤滑組成物。
（項目９）
各Ｒ７が、Ｃ６〜Ｃ８アルキルおよびＣ６〜Ｃ８アルケニルから選択される、項目８に記載の潤滑組成物。
（項目１０）
前記化合物が、構造（ＩＩ）：
【化２１】
2018521167.tif 000011
による構造を有する、項目１から９のいずれか一項に記載の潤滑組成物。
（項目１１）
ｎが、少なくとも３または最大６であり、Ｒ７が、Ｃ６〜Ｃ８のアルキルおよびアルケニル基から選択される、項目１０に記載の潤滑組成物。
（項目１２）
前記化合物が、
【化２２】
2018521167.tif 000012
（式中、各Ｒ７は、Ｃ１０〜Ｃ１２アルキルである。）
【化２３】
2018521167.tif 000013
（式中、各Ｒ７は、Ｃ１０〜Ｃ１２アルキルである。）
およびこれらの混合物
のいずれか１つによる構造を有する、項目１０または１１に記載の潤滑組成物。
（項目１３）
ＮＲ１Ｒ２が環状構造であり、式中、
Ｒ１はＣ１〜Ｃ３アルキルであり、
ｍは少なくとも２であり、
Ｘは、Ｈおよび−（ＣＨ２）ｐ−Ｗから選択され、
Ｗは、ＣＯＯＲ８と、ＮＨＲ８と、末端ＸがＨまたはＣ１〜Ｃ４アルキルであること以外はＮＲ１Ｒ２に関して記載された環状構造とから選択され、
Ｒ８は、Ｈと、Ｃ６〜Ｃ３０アルキルと、Ｃ６〜Ｃ３０アルケニルと、−（ＣＨ２）ｐ−Ｗ’（式中、Ｗ’は、末端ＸがＨまたはＣ１〜Ｃ４アルキルであること以外はＷに関するものと同様である。）とから選択され、
各ｐは２から４である、項目１から７のいずれか一項に記載の潤滑組成物。
（項目１４）
前記化合物が、構造（ＩＩＩ）
【化２４】
2018521167.tif 000014
による構造を有する、項目１３に記載の潤滑組成物。
（項目１５）
前記化合物が、
【化２５】
2018521167.tif 000015
【化２６】
2018521167.tif 000016
およびこれらの混合物
のいずれか１つによる構造を有する、項目１０に記載の潤滑組成物。
（項目１６）
前記化合物が、最大７００または最大６５０の重量平均分子量を有する、項目１から１５のいずれか一項に記載の潤滑組成物。
（項目１７）
前記化合物が、少なくとも２７５または少なくとも３００の重量平均分子量を有する、項目１６に記載の潤滑組成物。
（項目１８）
前記アミノ−カルボキシレート化合物が、少なくとも２００ｍｇ  ＫＯＨ／ｇ、または少なくとも２５０ｍｇ  ＫＯＨ／ｇ、または少なくとも３００ｍｇ  ＫＯＨ／ｇ、または少なくとも３５０ｍｇ  ＫＯＨ／ｇ、または少なくとも４００ｍｇ  ＫＯＨ／ｇ、または最大６００ｍｇ  ＫＯＨ／ｇ、または最大５００ｍｇ  ＫＯＨ／ｇの全塩基価（ＴＢＮ）を有する、項目１から１７のいずれか一項に記載の潤滑組成物。
（項目１９）
前記アミノ−カルボキシレート化合物が、少なくとも１８０ｍｇ  ＫＯＨ／ｇ、または少なくとも２００ｍｇ  ＫＯＨ／ｇ、または少なくとも２４０ｍｇ  ＫＯＨ／ｇ、または最大４００ｍｇ  ＫＯＨ／ｇの塩基価（ＢＮ）を有する、項目１から１８のいずれか一項に記載の潤滑組成物。
（項目２０）
前記アミノ−カルボキシレート化合物が、前記潤滑組成物の全塩基価を少なくとも２０、または少なくとも３０、または少なくとも４０、または少なくとも５０ｍｇ  ＫＯＨ／ｇ、または最大６０ｍｇ  ＫＯＨ／ｇ、または最大５５ｍｇ  ＫＯＨ／ｇ増加させるのに十分な濃度で存在する、項目１から１９のいずれか一項に記載の潤滑組成物。
（項目２１）
エンジン油の最終的な全塩基価が少なくとも７０である、項目２０に記載の方法。
（項目２２）
前記アミノ−カルボキシレート化合物が、前記潤滑組成物の少なくとも１ｗｔ．％、または少なくとも５ｗｔ．％、または少なくとも１０ｗｔ．％である、項目１から２１のいずれか一項に記載の潤滑組成物。
（項目２３）
前記潤滑粘度の油が、前記潤滑組成物の少なくとも５ｗｔ．％、または少なくとも１０ｗｔ．％、または少なくとも２０ｗｔ．％、または少なくとも３０ｗｔ．％、または少なくとも４０ｗｔ．％、または少なくとも６０ｗｔ．％である、項目１から２１のいずれか一項に記載の潤滑組成物。
（項目２４）
前記組成物が、過塩基化清浄剤、粘度調整剤、摩擦調整剤、酸化防止剤、および分散剤の少なくとも１種をさらに含む、項目１から２３のいずれか一項に記載の潤滑組成物。
（項目２５）
項目１から２４のいずれか一項に記載の潤滑組成物の有効量を、エンジンに投与することを含む、エンジンを潤滑する方法。
（項目２６）
前記エンジンが２行程舶用ディーゼルエンジンである、項目２５に記載の方法。
（項目２７）
有効量のアミノカルボキシレート化合物を潤滑組成物に添加することを含む、潤滑組成物の全塩基価を増加させる方法であって、前記アミノカルボキシレート化合物が、式（Ｉ）：
ＮＲ１Ｒ２−（（ＣＨＲ３）ｘＮＲ４）ｎ−（ＣＨＲ５）２−ＣＯＹ
（Ｉ）
（式中、
Ｒ１およびＲ２は、独立して、−（ＣＨＲ６）２−ＣＯＹ’、Ｈ、およびＣ１〜Ｃ３アルキルから選択され、Ｒ１およびＲ２の少なくとも１つは、−（ＣＨＲ６）２−ＣＯＹ’であり；あるいはＮＲ１Ｒ２は環状構造であり、
ＹおよびＹ’は、独立して、−ＯＲ７、−ＮＨＲ７、および−Ｎ（Ｒ７）２から選択され、
各Ｒ７は、独立して、Ｃ６〜Ｃ１２アルキルおよびＣ６〜Ｃ１２アルケニルから選択され、
Ｒ３、Ｒ５、およびＲ６は、独立して、ＨおよびＣ１〜Ｃ４アルキルから選択され、
Ｒ４は、Ｈ、Ｃ１〜Ｃ４アルキル、および（ＣＨＲ３）ｘＮＨ２から選択され、
ｘは２から４であり；そして
ＮＲ１Ｒ２が環状構造の場合にｎが少なくとも０であることを除いて、ｎは少なくとも１である。）
を有するものである、方法。
（項目２８）
前記潤滑組成物中の前記アミノカルボキシレート化合物の濃度が、０．１重量％から１５重量％である、項目２７に記載の方法。
（項目２９）
前記アミノカルボキシレート化合物が、前記全塩基価を少なくとも１５ｍｇ  ＫＯＨ／ｇ増加させる、項目２７または２８に記載の方法。
（項目３０）
前記全塩基価の前記増加が少なくとも３０ｍｇ  ＫＯＨ／ｇである、項目２９に記載の方法。
（項目３１）
潤滑粘度の油と、アシル化剤およびポリアミンのマイケル付加によって形成されたアミノカルボキシレート化合物とを含む、潤滑組成物であって、
前記アシル化剤は、一般式：
【化２７】
2018521167.tif 000017
（式中、Ｒ１３は、水素またはメチルであり、
Ｒ１１およびＲ１２は、それぞれ独立して、水素、１から１２個の炭素原子を有するアルキル基、および式−ＣＯＯＲ１４（式中、Ｒ１４は、水素、または１から１２個もしくは１〜６個の炭素原子を有するアルキル基である。）を有する基からなる群から選択される。）
によって表され、
前記ポリアミンは、一般式：
ＮＨＲ４−（（ＣＨＲ３）ｘＮＲ４）ｎ−Ｒ４
（式中、ｘは、２から４であり、
Ｒ３は、ＨおよびＣ１〜Ｃ４アルキルから選択され、
Ｒ４は、Ｈ、Ｃ１〜Ｃ４アルキル、および（ＣＨＲ３）ｘＮＨ２から選択され、そして
ｎは少なくとも１である。）
によって表される、潤滑組成物。
【手続補正９】
【補正対象書類名】明細書
【補正対象項目名】０１４９
【補正方法】削除
【補正の内容】
【手続補正１０】
【補正対象書類名】明細書
【補正対象項目名】０１５０
【補正方法】削除
【補正の内容】